(57)【特許請求の範囲】
【請求項１】
パラメータの値を設定させるための操作子であって前記パラメータの入力値を増減させるボタン（５８，５９）及び前記パラメータの入力値（５０）を少なくとも表してなるパラメータ設定画面をタッチパネルでなる表示装置（２１）に表示させる表示制御部（２４）と、
前記操作子に対する操作を検出する操作検出部（２２）と、
前記操作検出部によって検出された操作に応じて、前記パラメータの入力値を特定する入力値特定部（４２）と、を備え、
前記入力値特定部は、前記パラメータの入力値が設定範囲の上限値または下限値となっているとき、前記パラメータの入力値を増減させるボタンが前記設定範囲を超える側に操作されたことを条件として、前記パラメータの入力値を前記設定範囲内に規制し、
前記表示制御部は、前記パラメータの入力値が前記入力値特定部によって規制されたことを条件に、前記パラメータの入力値の表示態様を変化させるパラメータ設定装置。
【請求項２】
前記表示制御部は、前記パラメータの入力値の表示色を変化させることにより、前記パラメータの入力値の表示態様を変化させる請求項１に記載のパラメータ設定装置。
【請求項３】
前記表示制御部は、前記パラメータ設定画面が前記設定範囲を更に表すように前記表示装置に表示させ、前記パラメータの入力値が前記入力値特定部によって規制されたことを条件に、前記設定範囲のうち前記パラメータの入力値が設定範囲外となった規制値の表示態様を変化させる請求項１又は請求項２に記載のパラメータ設定装置。
【請求項４】
前記表示制御部は、前記設定範囲のうち前記パラメータの入力値が設定範囲外となった規制値の表示色を変化させることにより、前記規制値の表示態様を変化させる請求項３に記載のパラメータ設定装置。
【請求項５】
表示装置（２１）と、請求項１ないし請求項４のいずれか１つの請求項に記載のパラメータ設定装置と、前記パラメータを含む情報に基づいて移動端末の試験を行う試験実行部（１１）とを含んでなる移動端末試験装置であって、
前記試験実行部は、前記パラメータ設定装置で設定された前記パラメータの情報に基づいて前記移動端末の試験を行う移動端末試験装置。
【請求項６】
パラメータ設定装置によってパラメータを設定するパラメータ設定方法であって、
前記パラメータの値を設定させるための操作子であって前記パラメータの入力値を増減させるボタン（５８，５９）及び前記パラメータの入力値（５０）を少なくとも表してなるパラメータ設定画面をタッチパネルでなる表示装置（２１）に表示させる表示制御ステップと、
前記操作子に対する操作を検出する操作検出ステップと、
前記操作検出ステップで検出された操作に応じて、前記パラメータの入力値を特定する入力値特定ステップと、を有し、
前記入力値特定ステップでは、前記パラメータの入力値が設定範囲の上限値または下限値となっているとき、前記パラメータの入力値を増減させるボタンが前記設定範囲を超える側に操作されたことを条件として、前記パラメータの入力値を前記設定範囲内に規制し、
前記表示制御ステップでは、前記パラメータの入力値が前記入力値特定ステップで規制されたことを条件に、前記パラメータの入力値の表示態様を変化させるパラメータ設定方法。
【発明の詳細な説明】
【技術分野】
【０００１】
本発明は、測定器などのパラメータの設定を行わせるパラメータ設定装置、パラメータ設定方法及び移動端末試験装置に関する。
【背景技術】
【０００２】
従来、特許文献１に提案された技術のように、表示装置の画面上にパラメータ設定用のウインドウを表示し、表示したウインドウ上でパラメータの設定を行わせる技術が提案されている。
【先行技術文献】
【特許文献】
【０００３】
【特許文献１】特開平６−３１４０８７号公報（第２図（ｂ））
【発明の概要】
【発明が解決しようとする課題】
【０００４】
しかしながら、このような従来の技術は、測定器などのように多様なパラメータを参照する装置に適用した場合に、各パラメータに対して設定されたパラメータの値が各パラメータの設定範囲外にあるときには、警告を発するなどして、ユーザにパラメータの再設定を行わせる必要があった。
【０００５】
また、従来の技術は、入力装置及び表示装置をタッチパネルによって構成した場合には、入力操作に対して入力値の表示などが反映されなかったときに、入力値が規制されているのか、システムのフリーズなどにより入力操作が認識されていないのかが判別できなかった。
【０００６】
このように、従来の技術には、パラメータの設定を行わせるときにユーザに負担をかけてしまうといった課題があった。
【０００７】
本発明は、このような課題を解決するためになされたもので、パラメータの設定を行わせるときにかかるユーザの負担を軽減することができるパラメータ設定装置、パラメータ設定方法及び移動端末試験装置を提供することを目的とする。
【課題を解決するための手段】
【０００８】
本発明のパラメータ設定装置は、パラメータの値を設定させるための操作子であって前記パラメータの入力値を増減させるボタン（５８，５９）及び前記パラメータの入力値（５０）を少なくとも表してなるパラメータ設定画面をタッチパネルでなる表示装置（２１）に表示させる表示制御部（２４）と、前記操作子に対する操作を検出する操作検出部（２２）と、前記操作検出部によって検出された操作に応じて、前記パラメータの入力値を特定する入力値特定部（４２）と、を備え、前記入力値特定部は、前記パラメータの入力値が設定範囲の上限値または下限値となっているとき、前記パラメータの入力値を増減させるボタンが前記設定範囲を超える側に操作されたことを条件として、前記パラメータの入力値を前記設定範囲内に規制し、前記表示制御部は、前記パラメータの入力値が前記入力値特定部によって規制されたことを条件に、前記パラメータの入力値の表示態様を変化させる構成を有している。
【０００９】
この構成により、本発明のパラメータ設定装置は、パラメータの入力値が設定範囲外であれば、パラメータの入力値を設定範囲内に規制しつつ、パラメータの入力値の表示態様を変化させるため、パラメータの値を設定範囲外に設定されることを防止することができる。
【００１０】
したがって、本発明のパラメータ設定装置は、ユーザにパラメータの再設定を行わせる負担をかけずに、パラメータの値を設定させることができるため、パラメータの設定を行わせるときにかかるユーザの負担を軽減することができる。
【００１１】
なお、前記表示制御部は、前記パラメータの入力値の表示色を変化させることにより、前記パラメータの入力値の表示態様を変化させるようにしてもよい。
【００１２】
この構成により、本発明のパラメータ設定装置は、パラメータの入力値を設定範囲内に規制したことを条件として、パラメータの入力値の表示態様を変化させるため、パラメータの入力値が規制されたことをユーザに認識させることができる。
【００１３】
また、前記表示制御部は、前記パラメータ設定画面が前記設定範囲を更に表すように前記表示装置に表示させ、前記パラメータの入力値が前記入力値特定部によって規制されたことを条件に、前記設定範囲のうち前記パラメータの入力値が設定範囲外となった規制値の表示態様を変化させるようにしてもよい。
【００１４】
この構成により、本発明のパラメータ設定装置は、パラメータの入力値を設定範囲内に規制したことを条件として、パラメータの入力値が設定範囲外となった規制値の表示態様を変化させるため、パラメータの入力値が大きすぎたのか、小さすぎたのかをユーザに認識させることができる。
【００１５】
また、前記表示制御部は、前記設定範囲のうち前記パラメータの入力値が設定範囲外となった規制値の表示色を変化させることにより、前記規制値の表示態様を変化させるようにしてもよい。
【００１６】
この構成により、本発明のパラメータ設定装置は、パラメータの入力値を設定範囲内に規制したことを条件として、パラメータの入力値が設定範囲外となった規制値の表示態様を変化させるため、設定範囲の規制値の表示色によって、パラメータの入力値が大きすぎたのか、小さすぎたのかをユーザに認識させることができる。
【００１７】
また、本発明の移動端末試験装置は、表示装置（２１）と、上述したパラメータ設定装置と、前記パラメータを含む情報に基づいて移動端末の試験を行う試験実行部（１１）とを含んでなる移動端末試験装置であって、前記試験実行部は、前記パラメータ設定装置で設定された前記パラメータの情報に基づいて前記移動端末の試験を行う。
また、本発明のパラメータ設定方法は、パラメータ設定装置によってパラメータを設定するパラメータ設定方法であって、
前記パラメータの値を設定させるための操作子であって前記パラメータの入力値を増減させるボタン（５８，５９）及び前記パラメータの入力値（５０）を少なくとも表してなるパラメータ設定画面をタッチパネルでなる表示装置（２１）に表示させる表示制御ステップと、前記操作子に対する操作を検出する操作検出ステップと、前記操作検出ステップで検出された操作に応じて、前記パラメータの入力値を特定する入力値特定ステップと、を有し、前記入力値特定ステップでは、前記パラメータの入力値が設定範囲の上限値または下限値となっているとき、前記パラメータの入力値を増減させるボタンが前記設定範囲を超える側に操作されたことを条件として、前記パラメータの入力値を前記設定範囲内に規制し、前記表示制御ステップでは、前記パラメータの入力値が前記入力値特定ステップで規制されたことを条件に、前記パラメータの入力値の表示態様を変化させる。
【００１８】
このように、本発明のパラメータ設定方法は、パラメータの入力値が設定範囲外であれば、パラメータの入力値を設定範囲内に規制しつつ、パラメータの入力値の表示態様を変化させるため、パラメータの値を設定範囲外に設定されることを防止することができる。
【００１９】
したがって、本発明のパラメータ設定方法は、ユーザにパラメータの再設定を行わせる負担をかけずに、パラメータの値を設定させることができるため、パラメータの設定を行わせるときにかかるユーザの負担を軽減することができる。
【発明の効果】
【００２０】
本発明は、パラメータの設定を行わせるときにかかるユーザの負担を軽減することができるパラメータ設定装置、パラメータ設定方法及び移動端末試験装置を提供することができる。
【図面の簡単な説明】
【００２１】
【図１】図１は、本発明の実施の形態に係る移動端末試験装置のブロック図である。
【図２】図２は、本発明の実施の形態に係る移動端末試験装置によって参照されるパラメータの階層関係を示す概念図である。
【図３】図３は、図２に続く概念図である。
【図４】図４は、本発明の実施の形態に係る移動端末試験装置によって表示される第１表示制御状態におけるメインウインドウの概要図である。
【図５】図５は、本発明の実施の形態に係る移動端末試験装置によって表示される第２表示制御状態におけるメインウインドウの概要図である。
【図６】図６は、図４に示すメインウインドウの第１表示領域の一部を示す概要図である。
【図７】図７（ａ）は、図４に示すメインウインドウの第１表示領域における画像表示領域内でスクロールされているリスト画像を示す概要図であり、図７（ｂ）は、画像表示領域内で境界までスクロールされているリスト画像を示す概要図であり、図７（ｃ）は、画像表示領域内でスクロールが規制されているリスト画像を示す概要図であり、図７（ｄ）は、画像表示領域内でスクロールが更に規制されているリスト画像を示す概要図である。
【図８】図８（ａ）は、図４に示すメインウインドウの第１表示領域における画像表示領域内でスクロールされているリスト画像を示す概要図であり、図８（ｂ）は、画像表示領域内で境界までスクロールされているリスト画像を示す概要図であり、図８（ｃ）は、画像表示領域内でスクロールが規制されているリスト画像を示す概要図であり、図８（ｄ）は、画像表示領域内でスクロールが更に規制されているリスト画像を示す概要図である。
【図９】図９（ａ）は、図４に示すメインウインドウの第１表示領域に表示されるリストを構成するパラメータ項目が変更される前の状態を示す概要図であり、図９（ｂ）は、パラメータ項目が変更されている状態を示す概要図であり、図９（ｃ）は、パラメータ項目が変更された後の状態を示す概要図である。
【図１０】図１０は、本発明の実施の形態に係る移動端末試験装置によって表示されるパラメータ設定画面の第１の概要図である。
【図１１】図１１は、本発明の実施の形態に係る移動端末試験装置によって表示されるパラメータ設定画面の第２の概要図である。
【図１２】図１２は、本発明の実施の形態に係る移動端末試験装置によって表示されるパラメータ設定画面の第３の概要図である。
【図１３】図１３は、本発明の実施の形態に係る移動端末試験装置によって表示されるパラメータ抽出画面の概要図である。
【発明を実施するための形態】
【００２２】
以下、本発明の実施の形態について、図面を参照して説明する。なお、本実施の形態においては、移動端末の試験を行うための移動端末試験装置に本発明のパラメータ設定装置を適用した例について説明する。
【００２３】
図１に示すように、移動端末試験装置１は、同軸ケーブル等を介して有線で移動端末２と信号を送受信するようになっている。なお、移動端末試験装置１は、アンテナを介して無線で移動端末２と信号を送受信するようにしてもよい。
【００２４】
移動端末試験装置１は、移動端末２の試験を実行するためのシナリオ及びパラメータを含む情報が格納された試験情報格納部１０と、試験情報格納部１０に格納された情報に基づいて、移動端末２の試験を実行する試験実行部１１と、試験実行部１１によって実行される試験に応じて移動端末２と通信を行う通信部１２と、試験情報格納部１０に格納されたパラメータを管理するパラメータ管理部１４とを含んで構成される。
【００２５】
また、移動端末試験装置１は、タッチパッドなどによって構成された入力装置２０と、液晶表示装置などによって構成された表示装置２１と、入力装置２０になされた操作を検出する操作検出部２２と、操作検出部２２によって検出された操作に応じた処理を実行する操作実行部２３と、表示装置２１を制御する表示制御部２４とを更に含んで構成される。
【００２６】
ここで、移動端末試験装置１は、移動端末２と通信を行うための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００２７】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００２８】
このように、本実施の形態において、試験情報格納部１０は、ＲＡＭ又はハードディスク装置によって構成され、試験実行部１１、パラメータ管理部１４、操作検出部２２、操作実行部２３及び表示制御部２４は、ＣＰＵによって構成され、通信部１２は、通信モジュールによって構成される。
【００２９】
また、入力装置２０と、表示装置２１とは、一体に、タッチパネル２５によって構成される。すなわち、表示制御部２４によって表示装置２１に表示される画像は、情報を表す他に、入力装置２０と協働して情報を入力させるためのユーザインタフェイスを構成する。
【００３０】
試験情報格納部１０に格納されたパラメータは、階層化されてパラメータ管理部１４によって管理されている。すなわち、パラメータ管理部１４は、試験情報格納部１０に格納された各パラメータの値の更新及び読み出しを行うようになっている。
【００３１】
図２及び図３に示すように、本実施の形態における第１階層のパラメータは、「Common」、「Call Processing」、「TX Measurement Setup」、「RX Measurement Setup」及び「Fundamental Measurement」に分類されている。なお、図２及び図３に示すパラメータは、発明を理解しやすくするために、一部が省かれている。
【００３２】
図２において、「Common」は、第１階層のパラメータとして、一般的な通信に関するパラメータのグループを表し、「Frequency」、「Level」、「Signal」及び「UL RMC」の各パラメータを含んでいる。
【００３３】
「Frequency」は、「Common」に分類された第２階層のパラメータとして、通信周波数に関するパラメータのグループを表し、「Frame Structure」、「Channel Bandwidth」、「UL Channel」、「DL Channel」、「UL Frequency」、「DL Frequency」及び「Operation Band」の各パラメータを含んでいる。
【００３４】
「Frame Structure」は、「Frequency」に分類された第３階層のパラメータとして、デュプレックスモードを表し、本実施の形態においては、「FDD」（Frequency Division Duplex）及び「TDD」（Time Division Duplex）の中から選択される。なお、「Frame Structure」の初期値は、「FDD」に設定されている。
【００３５】
「Channel Bandwidth」は、「Frequency」に分類された第３階層のパラメータとして、チャネル帯域幅を表し、「１．４ＭＨｚ」、「３ＭＨｚ」、「５ＭＨｚ」、「１０ＭＨｚ」、「１５ＭＨｚ」及び「２０ＭＨｚ」の中から選択される。なお、「Channel Bandwidth」の初期値は、「５ＭＨｚ」に設定されている。
【００３６】
「UL Channel」は、「Frequency」に分類された第３階層のパラメータとして、アップリンク（移動端末２から移動端末試験装置１に向かうリンク）のチャネルを表し、「０」〜「６５５３５」の設定範囲が規定されている。なお、「UL Channel」の初期値は、「１８３００」に設定されている。
【００３７】
「DL Channel」は、「Frequency」に分類された第３階層のパラメータとして、ダウンリンク（移動端末試験装置１から移動端末２に向かうリンク）のチャネルを表し、「０」〜「６５５３５」の設定範囲が規定されている。なお、「DL Channel」の初期値は、「３００」に設定されている。
【００３８】
「UL Frequency」は、「Frequency」に分類された第３階層のパラメータとして、ダウンリンクの周波数を表し、「０．４０００００ＭＨｚ」〜「２７００．００００００ＭＨｚ」の設定範囲が規定されている。なお、「UL Frequency」の初期値は、「１９５０．００００００ＭＨｚ」に設定されている。
【００３９】
「DL Frequency」は、「Frequency」に分類された第３階層のパラメータとして、アップリンクの周波数を表し、「０．４０００００ＭＨｚ」〜「２７００．００００００ＭＨｚ」の設定範囲が規定されている。なお、「DL Frequency」の初期値は、「２１４０．００００００ＭＨｚ」に設定されている。
【００４０】
「Operation Band」は、「Frequency」に分類された第３階層のパラメータとして、動作帯域を表し、「１」〜「４３」の設定範囲が規定されている。なお、「Operation Band」の初期値は、「１」に設定されている。
【００４１】
「Level」は、「Common」に分類された第２階層のパラメータとして、通信レベルに関するパラメータのグループを表し、「Input Level」、「Output Level」、「External Loss」、「Main UL」、「Main DL」及び「AUX」の各パラメータを含んでいる。
【００４２】
「Input Level」は、「Level」に分類された第３階層のパラメータとして、移動端末２に入力させるＲＦ信号のレベルを表し、「−６５．０ｄＢｍ」〜「＋３５．０ｄＢｍ」の設定範囲が規定されている。なお、「Input Level」の初期値は、「−１．０ｄＢｍ」に設定されている。
【００４３】
「Output Level」は、「Level」に分類された第３階層のパラメータとして、全てのチャネルの出力レベルの合計を表し、「−１２０．０ｄＢｍ」〜「−１０．０ｄＢｍ」の設定範囲が規定されている。なお、「Output Level」の初期値は、「−６０．２ｄＢｍ」に設定されている。
【００４４】
「External Loss」は、「Level」に分類された第３階層のパラメータとして、外部ロスの状態を表し、「ＯＮ」、「ＯＦＦ」及び「ＣＯＭＭＯＮ」の中から選択される。なお、「External Loss」の初期値は、「ＯＦＦ」に設定されている。
【００４５】
「Main UL」は、「Level」に分類された第３階層のパラメータとして、メインコネクタのアップリンクのオフセット値を表し、「−９９．０ｄＢｍ」〜「＋９９．０ｄＢｍ」の設定範囲が規定されている。なお、「Main UL」の初期値は、「０．０ｄＢｍ」に設定されている。
【００４６】
「Main DL」は、「Level」に分類された第３階層のパラメータとして、メインコネクタのダウンリンクのオフセット値を表し、「−９９．０ｄＢｍ」〜「＋９９．０ｄＢｍ」の設定範囲が規定されている。なお、「Main DL」の初期値は、「０．０ｄＢｍ」に設定されている。
【００４７】
「AUX」は、「Level」に分類された第３階層のパラメータとして、予備コネクタのダウンリンクのオフセット値を表し、「−９９．０ｄＢｍ」〜「＋９９．０ｄＢｍ」の設定範囲が規定されている。なお、「AUX」の初期値は、「０．０ｄＢｍ」に設定されている。
【００４８】
「Signal」は、「Common」に分類された第２階層のパラメータとして、通信信号に関するパラメータのグループを表し、「Channel Coding」、「Antenna Configuration」及び「DCI Format」の各パラメータを含んでいる。
【００４９】
「Channel Coding」は、「Signal」に分類された第３階層のパラメータとして、チャネルの構成を表し、「RMC」（Reference Measurement Channel）及び「Packet」の中から選択される。なお、「Channel Coding」の初期値は、「RMC」に設定されている。
【００５０】
「Antenna Configuration」は、「Signal」に分類された第３階層のパラメータとして、アンテナの構成を表し、「Single Antenna」、「Receiver Diversity」、「Transmit Diversity」、「2x2 MIMO (Open Loop)」、「2x2 MIMO(Closed Loop Single Layer)」及び「2x2 MIMO(Closed Loop Multi Layer)」の中から選択される。なお、「Antenna Configuration」の初期値は、「Single Antenna」に設定されている。
【００５１】
「DCI Format」（Downlink Control Information Format）は、「Signal」に分類された第３階層のパラメータとして、ダウンリンクの制御信号のフォーマットを表し、「１Ａ」及び「１」の中から選択される。なお、「DCI Format」の初期値は、「１Ａ」に設定されている。
【００５２】
「UL RMC」は、「Common」に分類された第２階層のパラメータとして、アップリンク信号のＲＭＣに関するパラメータのグループを表し、「Number of RB」、「Starting RB」、「RB Pos.」、「MCS Index」及び「Modulation」の各パラメータを含んでいる。
【００５３】
「Number of RB」は、「UL RMC」に分類された第３階層のパラメータとして、アップリンク信号に割り当てる  RB（Resource  Block、リソースブロック）の数を表し、「０」〜「１００」の設定範囲が規定されている。なお、「Number of RB」の初期値は、「２５」に設定されている。
【００５４】
「Starting RB」は、「UL RMC」に分類された第３階層のパラメータとして、アップリンク信号のＲＢの開始番号を表し、「０」〜「９９」の設定範囲が規定されている。なお、「Starting RB」の初期値は、「０」に設定されている。
【００５５】
「RB Pos.」は、「UL RMC」に分類された第３階層のパラメータとして、アップリンク信号においてＲＢを割り当てる位置を表し、「ＭＩＮ」、「ＭＩＤ」及び「ＭＡＸ」の中から選択される。なお、「RB Pos.」の初期値は、「ＭＩＮ」に設定されている。
【００５６】
「MCS Index」は、「UL RMC」に分類された第３階層のパラメータとして、アップリンク信号のＭＳＣ（Mobile Switching Center）のインデックスを表し、「０」〜「２８」の設定範囲が規定されている。なお、「MCS Index」の初期値は、「５」に設定されている。また、「MCS Index」は、「Modulation」等の値が変更されると、その設定値が連動して変更される。
【００５７】
「Modulation」は、「UL RMC」に分類された第３階層のパラメータとして、アップリンク信号の変調方式を表し、「ＱＰＳＫ」（Quadrature Phase Shift Keying）及び「１６ＱＡＭ」（16 Quadrature Amplitude Modulation）の中から選択される。なお、「Modulation」の初期値は、「ＱＰＳＫ」に設定されている。また、「Modulation」は、「MCS Index」等の値が変更されると、その設定値が連動して変更される。
【００５８】
「Call Processing」は、第１階層のパラメータとして、呼接続に関するパラメータのグループを表し、「Base Station Identity」、「Mobile Station Identity」、「Power Control」及び「BCCH/PCCH」の各パラメータを含んでいる。
【００５９】
「Base Station Identity」は、「Call Processing」に分類された第２階層のパラメータとして、基地局の識別情報に関するパラメータのグループを表し、「Cell ID」、「MCC」、「MNC」及び「TAC」の各パラメータを含んでいる。
【００６０】
「Cell ID」は、「Base Station Identity」に分類された第３階層のパラメータとして、セルを識別するためのＩＤを表し、「０」〜「５０３」の設定範囲が規定されている。なお、「Cell ID」の初期値は、「０」に設定されている。
【００６１】
「MCC」は、「Base Station Identity」に分類された第３階層のパラメータとして、ＬＡＩ（Local Area Identification）のＭＣＣ（Mobile Country Code）を表し、「０」〜「９９９」の設定範囲が規定されている。なお、「MCC」の初期値は、「１」に設定されている。
【００６２】
「MNC」は、「Base Station Identity」に分類された第３階層のパラメータとして、ＬＡＩのＭＮＣ（Mobile Network Code）を表し、「０」〜「９９９」の設定範囲が規定されている。なお、「MNC」の初期値は、「１」に設定されている。
【００６３】
「TAC」は、「Base Station Identity」に分類された第３階層のパラメータとして、ＬＡＩのＴＡＣ（Tracking Area Code）を表し、「０ｘ００００」〜「０ｘＦＦＦＦ」の設定範囲が規定されている。なお、「TAC」の初期値は、「０ｘ０００１」に設定されている。
【００６４】
「Mobile Station Identity」は、「Call Processing」に分類された第２階層のパラメータとして、移動端末２の識別情報に関するパラメータのグループを表し、「Paging IMSI」、「C-RNTI」、「Temporary C-RNTI for Handover」、「Authentication」、「Authentication Algorithm」、「Authentication Key K」、「AMF」及び「Integrity Protection」の各パラメータを含んでいる。
【００６５】
「Paging IMSI」は、「Mobile Station Identity」に分類された第３階層のパラメータとして、ページング送信時に移動端末２に送信するＩＭＳＩ（International Mobile Subscriber Identity）の種別を表し、「ＡＵＴＯ」及び「ＦＩＸ」の中から選択される。なお、「Paging IMSI」の初期値は、「ＡＵＴＯ」に設定されている。
【００６６】
「C-RNTI」は、「Mobile Station Identity」に分類された第３階層のパラメータとして、Ｃ−ＲＮＴＩ（Cell-Radio Network Temporary Identifier）を表し、「０ｘ０００１」〜「０ｘＦＦＦ３」の設定範囲が規定されている。なお、「C-RNTI」の初期値は、「０ｘＡＡＡＡ」に設定されている。
【００６７】
「Temporary C-RNTI for Handover」は、「Mobile Station Identity」に分類された第３階層のパラメータとして、ハンドオーバ時に使用する一時的なＣ−ＲＮＴＩを表し、「０ｘ０００１」〜「０ｘＦＦＦ３」の設定範囲が規定されている。なお、「C- Temporary C-RNTI for Handover」の初期値は、「０ｘＡＡＡＡ」に設定されている。
【００６８】
「Authentication」は、「Mobile Station Identity」に分類された第３階層のパラメータとして、認証キーを生成するか否かを表し、「ＯＮ」と「ＯＦＦ」との間で切り替えられる。なお、「Authentication」の初期値は、「ＯＮ」に設定されている。
【００６９】
「Authentication Algorithm」は、「Mobile Station Identity」に分類された第３階層のパラメータとして、認証キーを生成するためのアルゴリズムを表し、「ＸＯＲ」及び「ＭＩＬＥＮＡＧＥ」の中から選択される。なお、「Authentication Algorithm」の初期値は、「ＸＯＲ」に設定されている。
【００７０】
「Authentication Key K」は、「Mobile Station Identity」に分類された第３階層のパラメータとして、３２桁の１６進数で表される移動端末２の認証キー（Authentication Key）を表し、「０ｘ００００００００」〜「０ｘＦＦＦＦＦＦＦＦ」の設定範囲が規定されている。なお、「Authentication Key K」の初期値は、「０ｘ１１２２３３」に設定されている。
【００７１】
「AMF」は、パラメータの第３階層として、４桁の１６進数で表されるＡＭＦ（Action Message Format）の認証キーを表し、「０ｘ００００」〜「０ｘＦＦＦＦ」の設定範囲が規定されている。なお、「AMF」の初期値は、「０ｘ８０００」に設定されている。
【００７２】
「Integrity Protection」は、「Mobile Station Identity」に分類された第３階層のパラメータとして、呼制御に関する情報のやり取りに関するＣ−ｐｌａｎｅのIntegrity Protectionを表し、「ＯＦＦ」、「ＮＵＬＬ」及び「ＳＮＯＷ３Ｇ」の中から選択される。なお、「Integrity Protection」の初期値は、「ＮＵＬＬ」に設定されている。
【００７３】
「Power Control」は、「Call Processing」に分類された第２階層のパラメータとして、電力制御に関するパラメータのグループを表し、「TPC Pattern」、「p-Max」、「p0-NominalPUSCH」、「additionalSpectrumEmission」、「filterCoefficient」及び「Power Control Offset」の各パラメータを含んでいる。
【００７４】
「TPC Pattern」は、「Power Control」に分類された第３階層のパラメータとして、アップリンクのＴＰＣ（Transmit Power Control） Patternを表し、「ＡＵＴＯ」、「ＡＬＬＭ１」、「ＡＬＬ０」、「ＡＬＬ１」、「ＡＬＬ３」及び「ＡＬＴ」の中から選択される。なお、「TPC Pattern」の初期値は、「ＡＵＴＯ」に設定されている。
【００７５】
「p-Max」は、「Power Control」に分類された第３階層のパラメータとして、基地局から移動端末に送信されるSystemInformationBlockType1メッセージに含まれるp-Maxを表し、「−３０」〜「３３」の設定範囲が規定されている。なお、「p-Max」の初期値は、「３３」に設定されている。
【００７６】
「p0-NominalPUSCH」は、「Power Control」に分類された第３階層のパラメータとして、地局から移動端末に送信されるSystemInformationBlockType2（以下、「ＳＩＢ２」という）メッセージに含まれるp0-NominalPUSCHを表し、「−１２６」〜「２４」の設定範囲が規定されている。なお、「p0-NominalPUSCH」の初期値は、「−８５」に設定されている。
【００７７】
「additionalSpectrumEmission」は、「Power Control」に分類された第３階層のパラメータとして、ＳＩＢ２メッセージに含まれるadditionalSpectrumEmissionを表し、「ＮＳ＿０１」〜「ＮＳ＿３２」の設定範囲が規定されている。なお、「p0-NominalPUSCH」の初期値は、「ＮＳ＿０１」に設定されている。
【００７８】
「filterCoefficient」は、「Power Control」に分類された第３階層のパラメータとして、フィルタ係数を表し、「ＦＣ４」及び「ＦＣ８」の中から選択される。なお、「filterCoefficient」の初期値は、「ＦＣ４」に設定されている。
【００７９】
「Power Control Offset」は、「Power Control」に分類された第３階層のパラメータとして、ＴＰＣによって制御するアップリンクのターゲットレベルの入力レベルからのオフセット値を表し、「０．０」〜「−２０．０」の設定範囲が規定されている。なお、「Power Control Offset」の初期値は、「０．０」に設定されている。また、「Power Control Offset」は、「TPC Pattern」が「ＡＵＴＯ」に設定されているときにのみ参照される。
【００８０】
「BCCH/PCCH」は、「Call Processing」に分類された第２階層のパラメータとして、ＢＣＣＨ（Broadcast Control Channel）及びＰＣＣＨ（Paging Control Channel）に関するパラメータのグループを表し、「modificationPeriodCoeff」、「defaultPagingCycle」及び「nB」の各パラメータを含んでいる。
【００８１】
「modificationPeriodCoeff」は、「BCCH/PCCH」に分類された第３階層のパラメータとして、ＳＩＢ２メッセージに含まれるmodificationPeriodCoeffを表し、「Ｎ２」、「Ｎ４」、「Ｎ８」及び「Ｎ１６」の中から選択される。なお、「modificationPeriodCoeff」の初期値は、「Ｎ４」に設定されている。
【００８２】
「defaultPagingCycle」は、「BCCH/PCCH」に分類された第３階層のパラメータとして、ＳＩＢ２メッセージに含まれるdefaultPagingCycleを表し、「３２」、「６４」、「１２８」及び「２５６」の中から選択される。なお、「defaultPagingCycle」の初期値は、「１２８」に設定されている。
【００８３】
「nB」は、「BCCH/PCCH」に分類された第３階層のパラメータとして、ＳＩＢ２メッセージに含まれるnBを表し、「４Ｔ」、「２Ｔ」、「Ｔ」、「Ｔ＿２」、「Ｔ＿４」、「Ｔ＿８」、「Ｔ＿１６」及び「Ｔ＿３２」の中から選択される。なお、「nB」の初期値は、「Ｔ」に設定されている。
【００８４】
図３において、「TX Measurement Setup」は、第１階層のパラメータとして、移動端末２の送信に係る測定に関するパラメータのグループを表し、「Relative Power」及び「Aggregate Power」の各パラメータを含んでいる。
【００８５】
「Relative Power」は、「TX Measurement Setup」に分類された第２階層のパラメータとして、移動端末２に設定する送信パワーの相対値に関するパラメータのグループを表し、「Measurement Method」、「Measurement Subframe」、「UL Number of RB 1」及び「RB Change」の各パラメータを含んでいる。
【００８６】
「Measurement Method」は、「Relative Power」に分類された第３階層のパラメータとして、Power Control Tolerance（Relative Power）測定時の測定方法を表し、「ＡＵＴＯ」及び「ＭＡＮＵＡＬ」の中から選択される。なお、「Measurement Method」の初期値は、「ＡＵＴＯ」に設定されている。
【００８７】
「Measurement Subframe」は、「Relative Power」に分類された第３階層のパラメータとして、Power Control Tolerance（Relative Power）測定時の測定サブフレーム数を表し、「２」〜「１００」の設定範囲が規定されている。なお、「Measurement Subframe」の初期値は、「１０」に設定されている。
【００８８】
「UL Number of RB 1」は、「Relative Power」に分類された第３階層のパラメータとして、Power Control Tolerance（Relative Power）測定時のUL Number of RB - 1を表し、「１」〜「１００」の設定範囲が規定されている。なお、「UL Number of RB 1」の初期値は、「１」に設定されている。
【００８９】
「RB Change」は、「Relative Power」に分類された第３階層のパラメータとして、Test TypeにRelative Powerの「Ramping Up」又は「Ramping Down」が設定されたときに「UL Number of RB」を「UL Number of RB 1」から「UL Number of RB 2」に変更するサブフレームを表し、「０」〜「９９」の設定範囲が規定されている。なお、「RB Change」の初期値は、「１０」に設定されている。
【００９０】
「Aggregate Power」は、「TX Measurement Setup」に分類された第２階層のパラメータとして、移動端末２に設定する送信パワーの基準値に関するパラメータのグループを表し、「Measurement Subframe」のパラメータを含んでいる。
【００９１】
「Measurement Subframe」は、「Aggregate Power」に分類された第３階層のパラメータとして、Power Control Tolerance（Aggregate Power）測定時の測定サブフレーム数を表し、「２」〜「２０」の設定範囲が規定されている。なお、「Measurement Subframe」の初期値は、「５」に設定されている。
【００９２】
「RX Measurement Setup」は、第１階層のパラメータとして、移動端末２の受信に係る測定に関するパラメータのグループを表し、「Throughput」及び「CQI」の各パラメータを含んでいる。
【００９３】
「Throughput」は、「RX Measurement Setup」に分類された第２階層のパラメータとして、スループットに関するパラメータのグループを表し、「Number of Sample」及び「Early Decision」の各パラメータを含んでいる。
【００９４】
「Number of Sample」は、「Throughput」に分類された第３階層のパラメータとして、スループット測定のサンプル数を表し、「１」〜「９９９９９９９９」の設定範囲が規定されている。なお、「Number of Sample」の初期値は、「２０００」に設定されている。
【００９５】
「Early Decision」は、「Throughput」に分類された第３階層のパラメータとして、Early DecisionのＯＮ／ＯＦＦを表し、「ＯＮ」と「ＯＦＦ」との間で切り替えられる。なお、「Early Decision」の初期値は、「ＯＦＦ」に設定されている。
【００９６】
また、「Early Decision」がＯＮに設定された場合には、Early Decisionに到達した時点でDL Throughput測定が終了し、「Early Decision」がＯＦＦに設定された場合には、同グループの「Number of Sample」で設定したサンプル数分の測定が行われる。
【００９７】
「CQI」は、「RX Measurement Setup」に分類された第２階層のパラメータとして、ＣＱＩ（Channel Quality Indicator）に関するパラメータのグループを表し、「Number of Sample」、「Range of Counting」及び「RX Measurement Timeout Length」の各パラメータを含んでいる。
【００９８】
「Number of Sample」は、「CQI」に分類された第３階層のパラメータとして、ＣＱＩ（Channel Quality Indicator）測定のサンプル数を表し、「１」〜「９９９９」の設定範囲が規定されている。なお、「Number of Sample」の初期値は、「２０００」に設定されている。
【００９９】
「Range of Counting」は、「CQI」に分類された第３階層のパラメータとして、ＣＱＩをカウントする範囲を表し、「０」〜「１５」の設定範囲が規定されている。なお、「Range of Counting」の初期値は、「３」に設定されている。
【０１００】
「RX Measurement Timeout Length」は、「CQI」に分類された第３階層のパラメータとして、受信測定のタイムアウトの時間を表し、「１ｓ」〜「６０ｓ」の設定範囲が規定されている。なお、「RX Measurement Timeout Length」の初期値は、「１０ｓ」に設定されている。
【０１０１】
「Fundamental Measurement」は、第１階層のパラメータとして、測定に係る基本的なパラメータのグループを表し、「General」のパラメータを含んでいる。
【０１０２】
「General」は、「Fundamental Measurement」に分類された第２階層のパラメータとして、一般的なパラメータのグループを表し、「Power Measurement」、「Meas. Count」、「Power Template」、「Meas. Count」、「Occupied Bandwidth」、「Meas. Count」、「Spectrum Emission Mask」、「Meas. Count」、「Adjacent Channel Power」、「Meas. Count」、「Modulation Analysis」、「Meas. Count」、「Throughput」及び「CQI」の各パラメータを含んでいる。
【０１０３】
「Power Measurement」は、「General」に分類された第３階層のパラメータとして、電力測定を行うか否かを表し、「ＯＮ」と「ＯＦＦ」との間で切り替えられる。なお、「Power Measurement」の初期値は、「ＯＮ」に設定されている。
【０１０４】
「Power Measurement」に続く「Meas. Count」は、「General」に分類された第３階層のパラメータとして、電力測定の測定回数を表し、「１」〜「１０００」の設定範囲が規定されている。なお、「Meas. Count」の初期値は、「１」に設定されている。
【０１０５】
「Power Template」は、「General」に分類された第３階層のパラメータとして、Power Template測定を行うか否かを表し、「ＯＮ」と「ＯＦＦ」との間で切り替えられる。なお、「Power Template」の初期値は、「ＯＦＦ」に設定されている。
【０１０６】
「Power Template」に続く「Meas. Count」は、「General」に分類された第３階層のパラメータとして、Power Template測定の測定回数を表し、「１」〜「１０００」の設定範囲が規定されている。なお、「Meas. Count」の初期値は、「１」に設定されている。
【０１０７】
「Occupied Bandwidth」は、「General」に分類された第３階層のパラメータとして、占有帯域幅測定を行うか否かを表し、「ＯＮ」と「ＯＦＦ」との間で切り替えられる。なお、「Occupied Bandwidth」の初期値は、「ＯＦＦ」に設定されている。
【０１０８】
「Occupied Bandwidth」に続く「Meas. Count」は、「General」に分類された第３階層のパラメータとして、占有帯域幅測定の測定回数を表し、「１」〜「１０００」の設定範囲が規定されている。なお、「Meas. Count」の初期値は、「１」に設定されている。
【０１０９】
「Spectrum Emission Mask」は、「General」に分類された第３階層のパラメータとして、スペクトラムエミッションマスク（「ＳＥＭ」ともいう）測定を行うか否かを表し、「ＯＮ」と「ＯＦＦ」との間で切り替えられる。なお、「Spectrum Emission Mask」の初期値は、「ＯＦＦ」に設定されている。
【０１１０】
「Spectrum Emission Mask」に続く「Meas. Count」は、「General」に分類された第３階層のパラメータとして、ＳＥＭ測定の測定回数を表し、「１」〜「１０００」の設定範囲が規定されている。なお、「Meas. Count」の初期値は、「１」に設定されている。
【０１１１】
「Adjacent Channel Power」は、「General」に分類された第３階層のパラメータとして、隣接チャネル漏洩電力（「ＡＣＬＲ」ともいう）測定を行うか否かを表し、「ＯＮ」と「ＯＦＦ」との間で切り替えられる。なお、「Adjacent Channel Power」の初期値は、「ＯＦＦ」に設定されている。
【０１１２】
「Adjacent Channel Power」に続く「Meas. Count」は、「General」に分類された第３階層のパラメータとして、ＡＣＬＲ測定の測定回数を表し、「１」〜「１０００」の設定範囲が規定されている。なお、「Meas. Count」の初期値は、「１」に設定されている。
【０１１３】
「Modulation Analysis」は、「General」に分類された第３階層のパラメータとして、変調解析を行うか否かを表し、「ＯＮ」と「ＯＦＦ」との間で切り替えられる。なお、「Modulation Analysis」の初期値は、「ＯＮ」に設定されている。
【０１１４】
「Modulation Analysis」に続く「Meas. Count」は、「General」に分類された第３階層のパラメータとして、変調解析の解析回数を表し、「１」〜「１０００」の設定範囲が規定されている。なお、「Meas. Count」の初期値は、「１」に設定されている。
【０１１５】
「Throughput」は、「General」に分類された第３階層のパラメータとして、スループット測定を行うか否かを表し、「ＯＮ」と「ＯＦＦ」との間で切り替えられる。なお、「Throughput」の初期値は、「ＯＦＦ」に設定されている。
【０１１６】
「CQI」は、「General」に分類された第３階層のパラメータとして、ＣＱＩ測定を行うか否かを表し、「ＯＮ」と「ＯＦＦ」との間で切り替えられる。なお、「CQI」の初期値は、「ＯＦＦ」に設定されている。
【０１１７】
以上は、移動端末試験装置１に設定される代表的なパラメータである。このように、移動端末試験装置１は、パラメータの種類、すなわち、設定項目が膨大であるため、移動端末試験装置１にパラメータを設定することは、ユーザとって非常に煩雑な作業となる。
【０１１８】
図４及び図５に示すように、表示制御部２４は、表示装置２１にメインウインドウ３０を表示させるようになっている。メインウインドウ３０は、第１表示領域３１及び第１表示領域３１よりも広い第２表示領域３２を含んでいる。また、第１表示領域３１は、画像表示領域３５を含んでいる。
【０１１９】
表示制御部２４は、第１表示領域３１及び第２表示領域３２の表示内容を制御するようになっている。また、表示制御部２４は、メインウインドウ３０に対して、図４に示す第１表示制御状態及び図５に示す第２表示制御状態のいずれか一方の表示状態をとるようになっている。
【０１２０】
操作実行部２３は、第１表示領域３１に表示された表示モード切り替えボタン２８に対する操作が操作検出部２２によって検出されたことを条件に、メインウインドウ３０に対する表示制御部２４の表示状態を第１表示制御状態と第２表示制御状態との間で切り替えるようになっている。なお、図４に示す第１表示制御状態のメインウインドウ３０と、図５に示す第２表示制御状態のメインウインドウ３０とは、選択されているパラメータが互いに異なっている。
【０１２１】
図４に示す第１表示制御状態において、表示制御部２４は、パラメータの名称とパラメータに設定された設定値とを含む設定パラメータ項目、及び、パラメータのグループを表すグループパラメータ項目を階層的に第１表示領域３１に表示させるようになっている。以下、設定パラメータ項目とグループパラメータ項目とを総称して、単に「パラメータ項目」ともいう。
【０１２２】
また、表示制御部２４は、パラメータに設定された設定値を参照した処理の実行結果を第２表示領域３２に表示させるようになっている。具体的には、表示制御部２４は、パラメータに設定された設定値を参照した試験実行部１１による試験の実行結果を第２表示領域３２に表示させるようになっている。
【０１２３】
表示制御部２４は、第１表示領域３１に対して、第１階層のグループパラメータ項目をタブ３３で表示させ、第１階層のパラメータのグループの中で選択されたタブ３３に対応した第１階層のパラメータ（図４においては、「Common」）のグループに含まれる第２階層のグループパラメータ項目（図４においては、「Frequency」及び「Level」など）をリスト３４に表示させ、第２階層のパラメータの中で選択されたグループに含まれる第３階層の設定パラメータ項目（図４においては、「Frame Structure」など）を第２階層のグループパラメータ項目と同じリスト３４に縦方向に配列して表示させるようになっている。
【０１２４】
なお、本実施の形態において、パラメータ項目の階層数を３として説明したが、パラメータ項目の階層数を４以上としてもよい。この場合には、表示制御部２４は、第４階層以降のパラメータ項目を上位階層のパラメータ項目内にリスト形式で、連続する階層のパラメータ項目の表示態様を異ならせて、階層が異なることがわかるように表示させるように構成する。
【０１２５】
このように、表示制御部２４は、リスト３４を構成する各パラメータ項目、すなわち、第２階層以下の各パラメータ項目によって構成される画像（以下、「リスト画像」ともいう）を画像表示領域３５内に表示させるようになっている。
【０１２６】
図６に示すように、表示制御部２４は、リスト３４を構成する各パラメータ項目において、パラメータの名称を左寄せで表示させるとともに、パラメータの名称の下に右寄せでパラメータに設定された設定値を表示させるようになっている。
【０１２７】
このように、リスト３４を構成する各パラメータ項目を表示することにより、各パラメータ項目を幅方向にコンパクトに表示させることができる。一方、各パラメータ項目は、縦方向に長くなってしまうが、本実施の形態のように、タッチパネル２５によって入力装置２０を構成した場合には、各パラメータ項目を選択（例えば、タップ）させやすくなる。
【０１２８】
また、表示制御部２４は、リスト３４を構成する各パラメータ項目において、パラメータの名称と、パラメータに設定された設定値とを互いに異なる表示態様で表示装置２１に表示させるようになっている。
【０１２９】
例えば、表示制御部２４は、リスト３４を構成する各パラメータ項目において、パラメータの名称と、パラメータに設定された設定値とを互いに異なる表示色で表示装置２１に表示させるようになっている。
【０１３０】
また、表示制御部２４は、初期値を表すパラメータの設定値と、初期値から変更されたパラメータの設定値とを互いに異なる表示態様で表示装置２１に表示させるようになっている。
【０１３１】
例えば、表示制御部２４は、初期値を表すパラメータの設定値と、初期値から変更されたパラメータの設定値とを互いに異なる表示色で表示装置２１に表示させるようになっている。
【０１３２】
表示制御部２４は、リスト３４を構成する各パラメータ項目におけるパラメータの名称を全て同一な表示態様で表示装置２１に表示させるようになっている。これにより、パラメータ名のみを見たいユーザに対して、パラメータ名の視認性が向上する。
【０１３３】
図６に示した例においては、第１階層が「Common」であり、第２階層が「Frequency」である第３階層のパラメータ「Operation Band」の初期値が「１」であるのに対して、設定値が「２」に変更されていることが示されている。
【０１３４】
なお、表示制御部２４は、全てのパラメータの設定値を初期値に戻す不図示の初期設定ボタンを第１表示領域３１内に表示させるようにしてもよい。この場合には、操作実行部２３は、操作検出部２２によって検出された操作が初期設定ボタンに対する操作であることを条件として、全てのパラメータの設定値を初期値に戻すように構成される。
【０１３５】
表示制御部２４は、第１表示領域３１内に割り当てられた画像表示領域３５内に、リスト画像がスクロールする状態で表示させることができるようになっている。このため、表示制御部２４は、リスト画像をスクロールさせるためのスクロールバー３６をリスト画像とともに表示装置２１に表示させるようになっている。ここで、スクロールバー３６は、リスト画像のスクロール量を表すとともに、入力装置２０による操作に応じて変位するスライダ３７を含む。
【０１３６】
図１において、操作実行部２３は、操作検出部２２によって検出された操作がリスト画像をスクロールさせる操作であることを条件として、操作検出部２２によって検出された操作に応じて、リスト画像のスクロール量を特定するスクロール量特定部４０を構成する。
【０１３７】
ここで、リスト画像をスクロールさせる操作としては、入力装置２０において、図７に示すように画像表示領域３５内のリスト画像をドラッグする操作、及び、図８に示すようにスクロールバー３６のスライダ３７をドラッグする操作などがある。
【０１３８】
また、操作実行部２３は、スクロール量特定部４０によって特定されたスクロール量に応じてリスト画像をスクロールさせると、リスト画像が画像表示領域３５から外れるように、換言すれば、リスト画像が画像表示領域３５からはみ出るようにスクロールすることを条件として、リスト画像が画像表示領域３５から外れないようにスクロール量を規制するスクロール量規制部４１を構成する。
【０１３９】
表示制御部２４は、スクロール量に応じてリスト画像をスクロールさせるとともに、スクロール量規制部４１によってスクロール量が規制されたことを条件として、画像表示領域３５の周辺領域の少なくとも一部の表示態様を変化させるようになっている。
【０１４０】
本実施の形態において、画像表示領域３５の周辺領域の少なくとも一部は、スクロールバー３６のスライダ３７とする。ここで、表示制御部２４は、スクロール量規制部４１によって規制されたスクロール量の規制量に応じて、スライダ３７の表示態様を変化させるようになっている。
【０１４１】
すなわち、表示制御部２４は、スクロール量規制部４１によって規制されたスクロール量の規制量が多くなるに連れて、スライダ３７の表示態様を大きく変化させるようになっている。例えば、図７及び図８に示したように、表示制御部２４は、スライダ３７の表示色の濃度を変化させることによって、スライダ３７の表示態様を変化させるようになっている。
【０１４２】
図７及び図８において、（ａ）は、画像表示領域３５内でリスト画像が図中下方向にスクロールされている状態を表し、（ｂ）は、画像表示領域３５内でリスト画像が境界まで、詳細には、リスト画像が画像表示領域３５の上端までスクロールされている状態を表している。これらの状態では、表示制御部２４は、スライダ３７の表示色の濃度を変化させない。
【０１４３】
一方、図７及び図８において、（ｃ）及び（ｄ）は、スクロール量規制部４１によってリスト画像のスクロール量が規制されている状態を表している。特に、（ｄ）は、（ｃ）が表す状態から更に図中下方向にリスト画像のスクロール動作が行われた状態を表している。これらの状態では、表示制御部２４は、スライダ３７の表示色の濃度を変化させる。
【０１４４】
ここで、スクロール量規制部４１によって規制されたスクロール量の規制量は、（ｃ）に示されている状態よりも（ｄ）に示されている状態の方が多いため、表示制御部２４は、（ｃ）に示されている状態におけるスライダ３７の表示色の濃度よりも、（ｄ）に示されている状態におけるスライダ３７の表示色の濃度を高くする。
【０１４５】
図５に戻り、表示制御部２４は、第２表示制御状態において、パラメータのグループを表すパラメータ項目を階層的に第１表示領域３１に表示させるようになっている。また、第２表示制御状態において、表示制御部２４は、パラメータのグループを展開したパラメータ項目をグループ単位で配列したリストを並べて第２表示領域３２に表示させるようになっている。
【０１４６】
なお、前述したように、図４に示したような第１表示制御状態において、表示モード切り替えボタン２８が押下されることにより、表示制御部２４は、メインウインドウ３０を図５に示したような第２表示制御状態に切り替えるようになっている。
【０１４７】
表示制御部２４は、第２表示制御状態において、第１表示領域３１に表示させたパラメータ項目のうち、第２表示領域３２に展開して表示させたパラメータ項目と、第２表示領域３２に表示させていないパラメータ項目とを識別できるように互いに異なる表示態様で表示装置２１に表示させるようになっている。
【０１４８】
例えば、表示制御部２４は、第１表示領域３１に表示させた４種のパラメータ項目（グループ名）のうち、第２表示領域３２に展開して表示させたパラメータ項目（「Mobile Station Identity」、「Power Control」及び「BCCH/PCCH」）と、第２表示領域３２に表示させていないパラメータ項目（「Base Station Identity」）とを識別できるように互いに異なる表示色で表示装置２１に表示させるようになっている。
【０１４９】
表示制御部２４は、第１表示領域３１に表示させたパラメータ項目と、第２表示領域３２に展開して表示させたパラメータ項目が配列された列とを対応付ける対応情報を表示装置２１に表示させるようになっている。
【０１５０】
例えば、表示制御部２４は、第１表示領域３１に表示させたパラメータ項目と、第２表示領域３２に展開して表示させたパラメータ項目が配列された列とに対応情報として数字などの識別子をそれぞれ付して表示装置２１に表示させるようになっている。
【０１５１】
操作実行部２３は、第１表示制御状態における第１表示領域３１又は第２表示制御状態における第２表示領域３２に表示されたパラメータ項目のうち、パラメータのグループを表すパラメータ項目が選択されたことが操作検出部２２によって検出されたことを条件に、このパラメータのグループが展開していれば集約し、集約していれば展開するように表示制御部２４に要求するようになっている。
【０１５２】
ここで、パラメータのグループが展開されると、このパラメータグループを表すパラメータ項目の下に下位のパラメータ項目が配列される。一方、パラメータグループが集約されると、このパラメータのグループの下位のパラメータ項目が非表示となり、次のパラメータのグループを表すパラメータ項目があれば、集約されたパラメータ項目の下に次のパラメータのグループを表すパラメータ項目が配列される。
【０１５３】
例えば、図４に示したリスト３４では、第２階層に分類された「Frequency」のグループパラメータ項目の下に第３階層の「Frame Structure」、「Channel Bandwidth」、「UL Channel」、「DL Channel」、「UL Frequency」、「DL Frequency」及び「Operation Band」の各設定パラメータ項目が表示されている状態を表している。
【０１５４】
ここで、第２階層「Frequency」のグループパラメータ項目が集約された場合には、第３階層の「Frame Structure」、「Channel Bandwidth」、「UL Channel」、「DL Channel」、「UL Frequency」、「DL Frequency」及び「Operation Band」の各設定パラメータ項目が非表示となって、「Frequency」のグループパラメータ項目の直ぐ下に第２階層に分類された「Level」のグループパラメータ項目が表示される。
【０１５５】
このように、横方向ではなく、縦方向にパラメータ項目を展開及び集約することができるようにすることによって、特定のグループパラメータ項目を展開することにより、下位の設定パラメータ項目を一覧してリスト３４に表示させることができ、特定のグループパラメータ項目を集約することにより、パラメータ項目をリスト３４にコンパクトに表示させることができる。
【０１５６】
また、操作実行部２３は、第１表示制御状態における第１表示領域３１又は第２表示制御状態における第２表示領域３２に表示されたパラメータ項目のうち、パラメータの名称とパラメータに設定された設定値とを含んでなる設定パラメータ項目を表すパラメータ項目の選択操作を検出したことを条件に、パラメータの設定処理を実行するようになっている。
【０１５７】
本実施の形態において、操作実行部２３によって実行されるパラメータの設定処理としては、オンオフ設定処理と、リスト選択処理と、設定画面処理との３通りの処理があり、操作実行部２３は、選択対象のパラメータに応じて、いずれの処理を実行するかを決定する。
【０１５８】
オンオフ設定処理は、第１階層が「Call Processing」であり、第２階層が「Mobile Station Identity」である第３階層のパラメータ「Authentication」のように、設定値が「ＯＮ」と「ＯＦＦ」との間で切り替えられるパラメータに対して実行される。
【０１５９】
オンオフ設定処理では、操作実行部２３は、操作検出部２２によってパラメータ項目の選択操作が検出されるたびに、パラメータ管理部１４を介して、選択対象のパラメータに「ＯＮ」と「ＯＦＦ」とを交互に設定する。
【０１６０】
リスト選択処理は、第１階層が「Common」であり、第２階層が「Frequency」である第３階層のパラメータ「Frame Structure」のように、パラメータの値の候補とする複数の候補値から１つの値が設定されるパラメータに対して実行される。
【０１６１】
リスト選択処理では、操作実行部２３は、操作検出部２２がパラメータ項目の選択操作を検出したことを条件に、表示制御部２４にパラメータの値の変更要求を行う。この変更要求を受けた表示制御部２４は、パラメータの値の候補とする候補値をリスト形式で表示装置２１に表示させる。操作実行部２３は、表示装置２１に表示された複数の候補値の中から選択された候補値を該当パラメータにパラメータ管理部１４を介して設定する。
【０１６２】
例えば、図９に示すように、（ａ）に示すように表示されているリスト画像に対して、パラメータ名が「Channel Bandwidth」のパラメータ項目が選択されると、（ｂ）に示すように、表示制御部２４は、パラメータの値の候補とする候補値として、「１．４ＭＨｚ」、「３ＭＨｚ」、「５ＭＨｚ」、「１０ＭＨｚ」、「１５ＭＨｚ」及び「２０ＭＨｚ」をリスト形式で表示装置２１に表示させる。
【０１６３】
ここで、表示制御部２４は、パラメータの初期値（５ＭＨｚ）を他の候補値と異なる表示態様で表示装置２１に表示させるようになっている。例えば、表示制御部２４は、パラメータの初期値にアンダーラインを付すことにより、パラメータの初期値を他の候補値と異なる表示態様で表示装置２１に表示させるようになっている。
【０１６４】
表示制御部２４は、リスト選択処理が実行される前に設定されていたパラメータの値を参照させやすくするように、選択対象のパラメータ項目の下にパラメータの候補値をリスト形式で表示させるようになっている。
【０１６５】
具体的には、図９の（ｂ）に示した例のように、表示制御部２４は、パラメータ名が「Channel Bandwidth」のパラメータ項目の下に展開させるように、各候補値「１．４ＭＨｚ」、「３ＭＨｚ」、「５ＭＨｚ」、「１０ＭＨｚ」、「１５ＭＨｚ」及び「２０ＭＨｚ」をリスト形式で表示させている。
【０１６６】
ここで、選択対象のパラメータ項目の表示位置により、このパラメータ項目の下にパラメータの候補値をリスト形式で表示させることができない場合には、表示制御部２４は、選択対象のパラメータ項目の下にパラメータの候補値をリスト形式で表示させることができるように、リスト画像をスクロールさせるようにしてもよい。
【０１６７】
また、表示制御部２４は、設定されていたパラメータの値を参照させやすくするように、設定されていたパラメータの値を他の候補値と異なる表示態様で表示装置２１に表示させるようになっている。例えば、本実施の形態における表示制御部２４は、設定されていたパラメータの値の左にマークを付すようになっている。
【０１６８】
図９において、（ｂ）に示す状態で、「１．４ＭＨｚ」、「３ＭＨｚ」、「５ＭＨｚ」、「１０ＭＨｚ」、「１５ＭＨｚ」及び「２０ＭＨｚ」の候補値の中から「１０ＭＨｚ」が選択されると、（ｃ）に示すように、「Channel Bandwidth」の設定値が「１０ＭＨｚ」に変更される。
【０１６９】
設定画面処理は、第１階層が「Common」であり、第２階層が「Frequency」である第３階層のパラメータ「DL Frequency」のように、パラメータの値を直接に設定するパラメータに対して実行される。
【０１７０】
設定画面処理では、操作実行部２３は、操作検出部２２がパラメータ項目の選択操作を検出したことを条件に、表示制御部２４にパラメータの値の変更要求を行う。この変更要求を受けた表示制御部２４は、図１０ないし図１２に示すように、パラメータの値を設定させるための操作子を少なくとも表してなるパラメータ設定画面を表示装置２１に表示させる。操作実行部２３は、パラメータ設定画面に基づいて設定された値を該当パラメータにパラメータ管理部１４を介して設定する。
【０１７１】
操作実行部２３は、操作検出部２２によって検出された設定画面処理における操作子に対する操作に応じて、パラメータの入力値を特定する入力値特定部４２を構成する。ここで、パラメータ設定画面が表す操作子としては、設定をキャンセルするキャンセルボタンと、設定を確定するＯＫボタンと、入力値をクリアするクリアボタンと、入力値を１文字取り消すバックスペースボタンと、数値を入力するための数値ボタン、単位を入力するための単位ボタン、反数変換をするための反数変換ボタンなどがある。
【０１７２】
表示制御部２４は、パラメータの入力値５０に加えて、選択対象のパラメータに応じて、これらのボタンをパラメータ設定画面上に選択的に表示させるようになっている。図１０に示したパラメータ「DL Frequency」のパラメータ設定画面においては、表示制御部２４は、キャンセルボタン５１、ＯＫボタン５２、クリアボタン５３、バックスペースボタン５４、数値ボタン５５及び単位ボタン５６を表示させている。
【０１７３】
パラメータ設定画面が表示された状態において、入力値特定部４２は、操作検出部２２によって検出された操作がパラメータの入力値をパラメータの設定範囲外とする操作であることを条件として、操作子に対する操作を無効とし、表示制御部２４は、パラメータの入力値をパラメータの設定範囲外とする操作が無効となることが識別できるように操作子を表示装置２１に表示させるようになっている。
【０１７４】
すなわち、入力値特定部４２及び表示制御部２４は、選択対象のパラメータの設定範囲と、入力値とに応じて、各操作子をイネーブル状態又はディスエーブル状態にするようになっている。
【０１７５】
例えば、図１０に示したパラメータ設定画面において、パラメータ「DL Frequency」は、「０．４０００００ＭＨｚ」〜「２７００．００００００ＭＨｚ」の設定範囲が規定されているため、パラメータ設定画面において「２０１００００」と入力されると、「ＧＨｚ」と「ＭＨｚ」とを表す各単位ボタン５６がディスエーブル状態になり、「ｋＨｚ」と「Ｈｚ」とを表す各単位ボタン５６がイネーブル状態になり、入力値として単位が確定していないため、ＯＫボタン５２もディスエーブル状態になる。
【０１７６】
ここで、ディスエーブル状態の操作子（「ＧＨｚ」と「ＭＨｚ」とを表す各単位ボタン５６及びＯＫボタン５２）は、イネーブル状態の操作子と表示色が異なり、イネーブル状態の操作子よりも薄い色で表示されている。
【０１７７】
また、表示制御部２４が数値及び反数変換をそれぞれ選択させる操作子を表示装置２１に表示させる場合には、入力値特定部４２は、操作検出部２２によって検出された操作がパラメータの入力値をパラメータの設定範囲外とする操作であっても、パラメータの入力値の反数をパラメータの設定範囲内とする操作であれば、操作子に対する操作を有効とし、表示制御部２４は、パラメータの入力値をパラメータの設定範囲外とする操作であっても、パラメータの入力値の反数をパラメータの設定範囲内とする操作が有効となることが識別できるように操作子を表示装置２１に表示させるようになっている。
【０１７８】
ただし、表示制御部２４は、パラメータの入力値がパラメータの設定範囲外であることを条件として、パラメータの入力値がパラメータの設定範囲内であるときと異なる表示態様でパラメータの入力値を表示するようになっている。
【０１７９】
本実施の形態において、表示制御部２４は、パラメータの入力値がパラメータの設定範囲外であることを条件として、パラメータの入力値がパラメータの設定範囲内であるときと異なる表示色でパラメータの入力値を表示するようになっている。
【０１８０】
例えば、図１１に示すように、第１階層が「Common」であり、第２階層が「Level」である第３階層のパラメータ「Input Level」のパラメータ設定画面において、パラメータ「Input Level」は、「−６５．０ｄＢｍ」〜「３５．０ｄＢｍ」の設定範囲が規定されているため、「４０．０ｄＢｍ」は、パラメータの設定範囲外であるが、反数変換ボタン５７が操作されることによって、その反数「−４０．０ｄＢｍ」を設定範囲内にすることができるため、「４０．０ｄＢｍ」の入力は許容される。
【０１８１】
ただし、「４０．０ｄＢｍ」が入力された状態では、これ以上の数値の入力ができないため、全ての数値ボタン５５は、ディスエーブル状態になる。また、「４０．０ｄＢｍ」は、設定範囲外であるため、入力値５０は、パラメータの設定範囲内であるときと異なる表示色で表示される。
【０１８２】
また、入力値特定部４２及び表示制御部２４が各操作子をイネーブル状態又はディスエーブル状態にする態様とは別の他の態様として、入力値特定部４２は、パラメータの入力値がパラメータの設定範囲外であることを条件として、パラメータの入力値を設定範囲内に規制するようにしてもよい。
【０１８３】
ここで、表示制御部２４は、パラメータの入力値が入力値特定部４２によって規制されたことを条件に、パラメータの入力値の表示態様を変化させるようにしてもよい。例えば、表示制御部２４は、パラメータの入力値の表示色を変化させることにより、パラメータの入力値の表示態様を変化させるようにしてもよい。
【０１８４】
さらに、表示制御部２４は、パラメータ設定画面が設定範囲を更に表すように、表示装置２１に表示させ、パラメータの入力値が入力値特定部４２によって規制されたことを条件に、設定範囲のうちパラメータの入力値が設定範囲外となった規制値の表示態様を変化させるようにしてもよい。例えば、表示制御部２４は、パラメータ設定画面のタイトルバー４９に設定範囲を表示させ、設定範囲のうちパラメータの入力値が設定範囲外となった規制値の表示色を変化させることにより、規制値の表示態様を変化させるようにしてもよい。
【０１８５】
例えば、図１２に示すように、第１階層が「Common」であり、第２階層が「Frequency」である第３階層のパラメータ「Operation Band」のパラメータ設定画面において、パラメータ「Operation Band」は、「１」〜「４３」の設定範囲が規定されているため、「１」未満の入力値は、「１」に規制され、「４３」より大きい入力値は「４３」に規制される。
【０１８６】
図１２に示す「Operation Band」のパラメータ設定画面おいて、表示制御部２４は、入力値の最小桁を１つインクリメントするインクリメントボタン５８と、入力値の最小桁を１つデクリメントするデクリメントボタン５９とを表示させるようになっている。
【０１８７】
この「Operation Band」のパラメータ設定画面おいて、「４３」が入力されている状態で、インクリメントボタン５８が操作されると、入力値は、「４３」に規制される。そして、入力値５０は、パラメータの設定範囲内であったときと異なる表示色で表示される。
【０１８８】
さらに、パラメータ設定画面のタイトルバー４９に表示された設定範囲のうちパラメータの入力値が設定範囲外となった規制値も、入力値がパラメータの設定範囲内であったときと異なる表示色で表示される。
【０１８９】
また、表示制御部２４は、パラメータ設定画面の操作子として、設定中のパラメータの入力値を初期値に戻す初期化ボタン４８（図中、「Back to Initial Value」ボタン）を表示させるようになっている。
【０１９０】
操作実行部２３は、初期化ボタン４８に対する操作が操作検出部２２によって検出されたことを条件に、パラメータ設定画面の入力値を設定中のパラメータの初期値に設定するようになっている。
【０１９１】
例えば、図１２に示す「Operation Band」のパラメータ設定画面おいて、操作実行部２３は、初期化ボタン４８に対する操作が操作検出部２２によって検出されたことを条件に、パラメータ設定画面の入力値を「Operation Band」の初期値である「１」に設定するようになっている。すなわち、初期化ボタン４８が操作されると、パラメータの入力値５０には、「１」が表示される。なお、初期化ボタン４８は、図１０及び図１１に示した各パラメータ設定画面にも、設けるようにしてもよい。
【０１９２】
表示制御部２４は、第１表示領域３１に表示されたパラメータ抽出ボタン６４に対する操作が操作検出部２２によって検出されたことを条件に、図１３に示すようなパラメータ抽出画面６０を表示装置２１に表示させるようになっている。
【０１９３】
パラメータ抽出画面６０は、入力画面表示領域６１と、抽出結果表示領域６２とを含んでいる。表示制御部２４は、パラメータの検索条件を設定するための操作子、例えば、パラメータ名を入力するための複数のキーと、複数のキーに対する入力操作によって入力された検索条件とを入力画面表示領域６１に表示するようになっている。なお、本実施の形態における検索条件とは、入力されたキーワードを含むこととする。
【０１９４】
操作実行部２３は、階層化されたパラメータ群の中から検索条件が成立するパラメータを抽出するパラメータ抽出部４３を構成する。本実施の形態において、パラメータ抽出部４３は、全ての第１階層に含まれる第３階層のパラメータ群の中から検索条件が成立するパラメータを抽出するようになっている。また、表示制御部２４は、操作実行部２３によって抽出されたパラメータを表すパラメータ抽出画面６０を表示装置２１に表示させるようになっている。
【０１９５】
なお、パラメータ抽出部４３は、メインウインドウ３０の第１表示領域３１で選択されている第１階層に含まれる第３階層のパラメータ群の中から検索条件が成立するパラメータを抽出するようにしてもよい。
【０１９６】
スクロール量特定部４０及びスクロール量規制部４１は、抽出結果表示領域６２に表示されたリスト６３に対しても、メインウインドウ３０の第１表示領域３１に表示させたリスト３４と同様に機能するようになっている。
【０１９７】
また、操作実行部２３は、リスト６３の中で選択されたパラメータに応じて、それぞれ前述したオンオフ設定処理と、リスト選択処理と、設定画面処理との３通りの処理のうち、選択対象のパラメータに応じた処理を実行するようになっている。
【０１９８】
例えば、メインウインドウ３０のパラメータ抽出ボタン６４に対する操作が操作検出部２２によって検出されると、パラメータ抽出画面６０が表示制御部２４によってメインウインドウ３０の前面に表示される。
【０１９９】
ここで、パラメータ抽出画面６０の入力画面表示領域６１において検索条件として、「UL」が入力されると、抽出結果表示領域６２には、第１階層が「Common」であり、第２階層が「Frequency」である第３階層のパラメータ「UL Channel」及び「UL Frequency」、第１階層が「Common」であり、第２階層が「Level」である第３階層のパラメータ「Main UL」、並びに、第１階層が「TX Measurement Setup」であり、第２階層が「Relative Power」である第３階層のパラメータ「UL Number of RB 1」のパラメータ項目よりなるリスト６３が表示制御部２４によって表示される。
【０２００】
操作実行部２３は、パラメータ抽出画面が表すパラメータの中から選択されたパラメータの値を設定させる操作を実行するようになっている。例えば、第１階層が「Common」であり、第２階層が「Frequency」である第３階層のパラメータ「UL Channel」に対する操作が操作検出部２２によって検出されると、操作実行部２３は、図１０に示したようなパラメータ設定画面を表示装置２１に表示させるように表示制御部２４を制御する。
【０２０１】
このように、操作実行部２３は、パラメータ抽出画面が表すパラメータの中から選択されたパラメータの値を設定させる操作を実行するため、パラメータの値を設定するために、パラメータ抽出画面６０からメインウインドウ３０に切り替えるユーザの手間を省くことができる。
【０２０２】
なお、表示制御部２４は、パラメータ抽出部４３によって抽出されたパラメータを図２及び図３を参照して説明した階層化されたパラメータ群と同一な分類で階層化した抽出結果画面を表示装置２１に表示させるようにしてもよい。
【０２０３】
具体的には、表示制御部２４は、パラメータ抽出部４３によって抽出されたパラメータを階層化した抽出結果をパラメータ抽出画面６０の抽出結果表示領域６２に表示させるようにしてもよい。
【０２０４】
すなわち、表示制御部２４は、メインウインドウ３０の第１表示領域３１に表示させたリスト３４と同じ形式のリスト６３で、パラメータ抽出部４３によって抽出されたパラメータのパラメータ項目を表示させるようにしてもよい。
【０２０５】
以上に説明したように、本実施の形態は、パラメータ設定画面において、パラメータの入力値が設定範囲外であれば、パラメータの入力値を設定範囲内に規制しつつ、パラメータの入力値の表示態様を変化させるため、パラメータの値を設定範囲外に設定されることを防止することができる。
【０２０６】
したがって、本実施の形態は、ユーザにパラメータの再設定を行わせる負担をかけずに、パラメータの値を設定させることができるため、パラメータの設定を行わせるときにかかるユーザの負担を軽減することができる。
【０２０７】
また、本実施の形態は、パラメータ設定画面において、パラメータの入力値を設定範囲内に規制したことを条件として、パラメータの入力値の表示態様を変化させるため、パラメータの入力値が規制されたことをユーザに認識させることができる。
【０２０８】
また、本実施の形態は、パラメータ設定画面において、パラメータの入力値を設定範囲内に規制したことを条件として、パラメータの入力値が設定範囲外となった規制値の表示態様、例えば、表示色を変化させるため、パラメータの入力値が大きすぎたのか、小さすぎたのかをユーザに認識させることができる。
【０２０９】
なお、本実施の形態におけるパラメータ設定方法は、画像表示ステップと、操作検出ステップと、入力値特定ステップとを有し、表示制御ステップは、表示制御部２４によって実行され、操作検出ステップは、操作検出部２２によって実行され、入力値特定ステップは、入力値特定部４２によって実行される。
【０２１０】
以上、本発明の実施の形態を開示したが、当業者によっては本発明の範囲を逸脱することなく変更が加えられうることは明白である。すべてのこのような修正及び等価物が特許請求の範囲に記載された請求項に含まれることが意図されている。
【符号の説明】
【０２１１】
２１  表示装置
２２  操作検出部
２４  表示制御部
４２  入力値特定部
５３  クリアボタン（操作子）
５４  バックスペースボタン（操作子）
５５  数値ボタン（操作子）
５６  単位ボタン（操作子）
５７  反数変換ボタン（操作子）
５８  インクリメントボタン（操作子）
５９  デクリメントボタン（操作子）
【図１】
0006034839.tif 000002
【図２】
0006034839.tif 000003
【図３】
0006034839.tif 000004
【図４】
0006034839.tif 000005
【図５】
0006034839.tif 000006
【図６】
0006034839.tif 000007
【図７】
0006034839.tif 000008
【図８】
0006034839.tif 000009
【図９】
0006034839.tif 000010
【図１０】
0006034839.tif 000011
【図１１】
0006034839.tif 000012
【図１２】
0006034839.tif 000013
【図１３】
0006034839.tif 000014